(57)【要約】【課題】無線通信システムで伝送ダイバーシティを達成する方法を提供する。【解決手段】無線通信システムで伝送ダイバーシティを獲得する方法において、フィードバック情報に基づいてデータストリームをコーディングして変調する段階と、一つ以上のエンコーダーブロックに各シンボルを逆多重化する段階と、前記一つ以上のエンコーダーブロックによって前記逆多重化された各シンボルをエンコーディングする段階と、一つ以上の逆高速フーリエトランスフォーム（ＩＦＦＴ）ブロックによって前記コーディングされた各シンボルを変形する段階と、前記フィードバック情報に基づいて前記各シンボルを伝送するための各アンテナを選択する段階とを含んで伝送ダイバーシティ獲得方法を構成する。【選択図】図１
2009529810.tif 000002
【特許請求の範囲】
【請求項１】
無線通信システムで伝送ダイバーシティを獲得する方法において、
フィードバック情報に基づいてデータストリームをコーディングして変調する段階と；
一つ以上のエンコーダーブロックに各シンボルを逆多重化する段階と；
前記一つ以上のエンコーダーブロックによって前記逆多重化された各シンボルをエンコーディングする段階と；
一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって前記コーディングされた各シンボルを変形する段階と；
前記フィードバック情報に基づいて前記各シンボルを伝送するための各アンテナを選択する段階と；を含む伝送ダイバーシティ獲得方法。
【請求項２】
前記データストリームをコーディングして変調する段階は、適応変調及びコーディングに基づくことを特徴とする請求項１に記載の伝送ダイバーシティ獲得方法。
【請求項３】
前記フィードバック情報は、データレート制御（ｄａｔａ  ｒａｔｅ  ｃｏｎｔｒｏｌ；ＤＲＣ）またはチャネル品質指示子（ｃｈａｎｎｅｌ  ｑｕａｌｉｔｙ  ｉｎｄｉｃａｔｏｒ；ＣＱＩ）であることを特徴とする請求項１に記載の伝送ダイバーシティ獲得方法。
【請求項４】
前記ＤＲＣまたは前記ＣＱＩは、伝送アンテナごとに測定されることを特徴とする請求項３に記載の伝送ダイバーシティ獲得方法。
【請求項５】
前記ＤＲＣまたはＣＱＩは、時間分割多重化を使用する直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）の前に、アンテナに特有の既知のパイロットシーケンスを挿入する先検出技法を使用して測定されることを特徴とする請求項３に記載の伝送ダイバーシティ獲得方法。
【請求項６】
前記ＤＲＣまたは前記ＣＱＩは、直交周波数分割多重化伝送でアンテナに特有の既知のパイロットパターンを使用する後検出技法を使用して測定されることを特徴とする請求項３に記載の伝送ダイバーシティ獲得方法。
【請求項７】
前記フィードバック情報は、直交周波数分割多重化帯域のＮ個の１．２５ＭＨｚ、５ＭＨｚまたはサブバンド上にチャネル状態情報を含み、前記Ｎは、正の整数であることを特徴とする請求項１に記載の伝送ダイバーシティ獲得方法。
【請求項８】
前記フィードバック情報は、セクター識別、搬送波／周波数インデックス、アンテナインデックス、支援可能なチャネル品質指示子（ＣＱＩ）値、最適のアンテナ組み合わせ、支援可能な信号対干渉雑音比（ｓｉｇｎａｌ−ｔｏ−ｉｎｔｅｒｆｅｒｅｎｃｅ  ｎｏｉｓｅ  ｒａｔｉｏ；ＳＩＮＲ）及び平均信号対雑音比（ｓｉｇｎａｌ−ｔｏ−ｎｏｉｓｅ  ｒａｔｉｏ；ＳＮＲ）を含むことを特徴とする請求項１に記載の伝送ダイバーシティ獲得方法。
【請求項９】
前記一つ以上のエンコーダーブロックは、空間−時間コード（ｓｐａｃｅ−ｔｉｍｅ  ｃｏｄｅ；ＳＴＣ）、非直交ＳＴＢＣ（ｎｏｎ−ｏｒｔｈｏｇｏｎａｌ  ＳＴＢＣ）、空間−時間トレリスコーディング（ｓｐａｃｅ−ｔｉｍｅ  ｔｒｅｌｌｉｓ  ｃｏｄｉｎｇ；ＳＴＴＣ）、空間−周波数ブロックコード（ｓｐａｃｅ−ｆｒｅｑｕｅｎｃｙ  ｂｌｏｃｋ  ｃｏｄｅ；ＳＦＢＣ）、空間−時間周波数ブロックコード（ｓｐａｃｅ−ｔｉｍｅ  ｆｒｅｑｕｅｎｃｙ  ｂｌｏｃｋ  ｃｏｄｅ；ＳＴＦＢＣ）、サイクリックシフトダイバーシティ、サイクリック遅延ダイバーシティ、アラモチ及びプリコーディング技法のうち一つを使用することを特徴とする請求項１に記載の伝送ダイバーシティ獲得方法。
【請求項１０】
前記各アンテナは、比例的な公平（ｐｒｏｐｏｒｔｉｏｎａｌ  ｆａｉｒ;ＰＦ）スケジューラを使用して選択されることを特徴とする請求項１に記載の伝送ダイバーシティ獲得方法。
【請求項１１】
前記ＰＦスケジューラは、現在の伝送レートを過去の平均収率と比較し、最も高い収率を有する使用者を選択することで、多数の使用者から前記使用者を選択することを特徴とする請求項１０に記載の伝送ダイバーシティ獲得方法。
【請求項１２】
前記各エンコーダーによって処理された各シンボルは、他のアンテナに割り当てられることを特徴とする請求項１に記載の伝送ダイバーシティ獲得方法。
【請求項１３】
前記各データストリームは、他のアンテナ上の同一の搬送波に割り当てられることを特徴とする請求項１２に記載の伝送ダイバーシティ獲得方法。
【請求項１４】
伝送のために選択された前記各シンボルは、二つ以上の連続的な直交周波数分割多重化シンボル区間を維持することを特徴とする請求項１３に記載の伝送ダイバーシティ獲得方法。
【請求項１５】
前記一つ以上のエンコーダー及び前記一つ以上のＩＦＦＴブロックによって実行された各処理は、任意の順序で実行されることを特徴とする請求項１に記載の伝送ダイバーシティ獲得方法。
【請求項１６】
アンテナ選択器の数は、前記一つ以上のＩＦＦＴブロックの数に該当することを特徴とする請求項１に記載の伝送ダイバーシティ獲得方法。
【請求項１７】
前記無線通信システムは、多重入力、多重出力（ｍｕｌｔｉ  ｉｎｐｕｔ、ｍｕｌｔｉ  ｏｕｔｐｕｔ；ＭＩＭＯ）システムであることを特徴とする請求項１に記載の伝送ダイバーシティ獲得方法。
【請求項１８】
前記各アンテナは、セルまたはセクターごとにグループ化されることを特徴とする請求項１に記載の伝送ダイバーシティ獲得方法。
【請求項１９】
前記選択された各アンテナは、それぞれのグループ化された各アンテナに伝送するように設計されることを特徴とする請求項１８に記載の伝送ダイバーシティ獲得方法。
【請求項２０】
前記選択された各アンテナは、セルまたはセクターを表すことを特徴とする請求項１に記載の伝送ダイバーシティ獲得方法。
【請求項２１】
前記フィードバック情報は、物理チャネルまたは論理チャネルによって伝送されることを特徴とする請求項１に記載の伝送ダイバーシティ獲得方法。
【請求項２２】
前記選択された各アンテナと関連した前記フィードバック情報はビットマップに伝送され、前記各ビットマップの位置はアンテナインデックスを表すことを特徴とする請求項１に記載の伝送ダイバーシティ獲得方法。
【請求項２３】
無線通信システムで伝送ダイバーシティを獲得する方法において、
一つ以上のエンコーダーブロックにデータストリームを逆多重化する段階と；
フィードバック情報に基づいて前記逆多重化された各データストリームにチャネルコーディング及び変調を行う段階と；
前記一つ以上のエンコーダーブロックによって各シンボルをエンコーディングする段階と；
一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって前記コーディングされた各シンボルを変形する段階と；
前記フィードバック情報に基づいて前記各シンボルを伝送するための各アンテナを選択する段階と；を含む伝送ダイバーシティ獲得方法。
【請求項２４】
前記フィードバック情報は、データレート制御（ｄａｔａ  ｒａｔｅ  ｃｏｎｔｒｏｌ；ＤＲＣ）またはチャネル品質指示子（ｃｈａｎｎｅｌ  ｑｕａｌｉｔｙ  ｉｎｄｉｃａｔｏｒ；ＣＱＩ）であることを特徴とする請求項２３に記載の伝送ダイバーシティ獲得方法。
【請求項２５】
前記ＤＲＣまたは前記ＣＱＩは、伝送アンテナごとに測定されることを特徴とする請求項２４に記載の伝送ダイバーシティ獲得方法。
【請求項２６】
前記フィードバック情報は、直交周波数分割多重化帯域のＮ個の１．２５ＭＨｚ、５ＭＨｚまたはサブバンド上にチャネル状態情報を含み、前記Ｎは、正の整数であることを特徴とする請求項２３に記載の伝送ダイバーシティ獲得方法。
【請求項２７】
前記一つ以上のエンコーダーブロックは、空間−時間コード（ｓｐａｃｅ−ｔｉｍｅ  ｃｏｄｅ；ＳＴＣ）、非直交ＳＴＢＣ（ｎｏｎ−ｏｒｔｈｏｇｏｎａｌ  ＳＴＢＣ）、空間−時間トレリスコーディング（ｓｐａｃｅ−ｔｉｍｅ  ｔｒｅｌｌｉｓ  ｃｏｄｉｎｇ；ＳＴＴＣ）、空間−周波数ブロックコード（ｓｐａｃｅ−ｆｒｅｑｕｅｎｃｙ  ｂｌｏｃｋ  ｃｏｄｅ；ＳＦＢＣ）、空間−時間周波数ブロックコード（ｓｐａｃｅ−ｔｉｍｅ  ｆｒｅｑｕｅｎｃｙ  ｂｌｏｃｋ  ｃｏｄｅ；ＳＴＦＢＣ）、サイクリックシフトダイバーシティ、サイクリック遅延ダイバーシティ、アラモチ及びプリコーディング技法のうち一つを使用することを特徴とする請求項２３に記載の伝送ダイバーシティ獲得方法。
【請求項２８】
伝送のために選択された前記各シンボルは、二つ以上の連続的な直交周波数分割多重化シンボル区間を維持することを特徴とする請求項２７に記載の伝送ダイバーシティ獲得方法。
【請求項２９】
前記一つ以上のエンコーダー及び前記一つ以上のＩＦＦＴブロックによって実行された各処理は、任意の順序で実行されることを特徴とする請求項１に記載の伝送ダイバーシティ獲得方法。
【請求項３０】
アンテナ選択器の数は、前記一つ以上のＩＦＦＴブロックの数に該当することを特徴とする請求項２３に記載の伝送ダイバーシティ獲得方法。
【請求項３１】
前記無線通信システムは、多重入力、多重出力（ｍｕｌｔｉ  ｉｎｐｕｔ、ｍｕｌｔｉ  ｏｕｔｐｕｔ；ＭＩＭＯ）システムであることを特徴とする請求項２３に記載の伝送ダイバーシティ獲得方法。
【請求項３２】
前記各アンテナは、セルまたはセクターごとにグループ化されることを特徴とする請求項２３に記載の伝送ダイバーシティ獲得方法。
【請求項３３】
前記選択された各アンテナは、それぞれのグループ化された各アンテナに伝送するように設計されることを特徴とする請求項３２に記載の伝送ダイバーシティ獲得方法。
【請求項３４】
前記選択された各アンテナは、セルまたはセクターを表すことを特徴とする請求項２３に記載の伝送ダイバーシティ獲得方法。
【請求項３５】
多重入力、多重出力システムで特定のアンテナ及び周波数に各データシンボルを割り当てる方法において、
一つ以上のエンコーダーブロックによって前記一つ以上のデータシンボルをコーディングする段階と；
一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって前記コーディングされた各シンボルを変形する段階と；
フィードバック情報に基づいて前記コーディングされた各シンボルを伝送するための一つ以上のアンテナを一つ以上のアンテナ選択器によって割り当てる段階と；
前記フィードバック情報に基づいて前記データシンボルが伝送される一つ以上の搬送波を前記一つ以上のアンテナ選択器によって割り当てる段階と；を含むデータシンボル割り当て方法。
【請求項３６】
アンテナ選択器の数は、前記一つ以上のＩＦＦＴブロックの数に該当することを特徴とする請求項３５に記載のデータシンボル割り当て方法。
【請求項３７】
前記フィードバック情報に基づいてデータシンボルをコーディングして変調する段階と；
前記一つ以上のエンコーダーブロックに各シンボルを逆多重化する段階と；をさらに含むことを特徴とする請求項３５に記載のデータシンボル割り当て方法。
【請求項３８】
前記一つ以上のエンコーダーブロックに各シンボルを逆多重化する段階と；
前記フィードバック情報に基づいて前記逆多重化された各シンボルにコーディング及び変調を行う段階と；をさらに含むことを特徴とする請求項３５に記載のデータシンボル割り当て方法。
【請求項３９】
前記フィードバック情報は、データレート制御（ｄａｔａ  ｒａｔｅ  ｃｏｎｔｒｏｌ；ＤＲＣ）またはチャネル品質指示子（ｃｈａｎｎｅｌ  ｑｕａｌｉｔｙ  ｉｎｄｉｃａｔｏｒ；ＣＱＩ）であることを特徴とする請求項３５に記載のデータシンボル割り当て方法。
【請求項４０】
前記ＤＲＣまたは前記ＣＱＩは、伝送アンテナごとに測定されることを特徴とする請求項３９に記載のデータシンボル割り当て方法。
【請求項４１】
前記フィードバック情報は、直交周波数分割多重化帯域のＮ個の１．２５ＭＨｚ、５ＭＨｚまたはサブバンド上にチャネル状態情報を含み、前記Ｎは、正の整数であることを特徴とする請求項３５に記載のデータシンボル割り当て方法。
【請求項４２】
前記一つ以上のエンコーダーブロックは、空間−時間コード（ｓｐａｃｅ−ｔｉｍｅ  ｃｏｄｅ；ＳＴＣ）、非直交ＳＴＢＣ（ｎｏｎ−ｏｒｔｈｏｇｏｎａｌ  ＳＴＢＣ）、空間−時間トレリスコーディング（ｓｐａｃｅ−ｔｉｍｅ  ｔｒｅｌｌｉｓ  ｃｏｄｉｎｇ；ＳＴＴＣ）、空間−周波数ブロックコード（ｓｐａｃｅ−ｆｒｅｑｕｅｎｃｙ  ｂｌｏｃｋ  ｃｏｄｅ；ＳＦＢＣ）、空間−時間周波数ブロックコード（ｓｐａｃｅ−ｔｉｍｅ  ｆｒｅｑｕｅｎｃｙ  ｂｌｏｃｋ  ｃｏｄｅ；ＳＴＦＢＣ）、サイクリックシフトダイバーシティ、サイクリック遅延ダイバーシティ、アラモチ及びプリコーディング技法のうち一つを使用することを特徴とする請求項３５に記載のデータシンボル割り当て方法。
【請求項４３】
無線通信システムで伝送ダイバーシティを獲得するための装置において、
フィードバック情報に基づいてデータストリームをそれぞれコーディングして変調するように構成されるチャネルエンコーダー及び変調器と；
一つ以上のエンコーダーブロックにシンボルを逆多重化するように構成される逆多重化器と；
前記一つ以上のエンコーダーブロックによって前記逆多重化された各シンボルをコーディングするように構成されるエンコーダーと；
前記コーディングされた各シンボルを変形するように構成される逆高速フーリエトランスフォーム（ｉｎｖｅｒｓｅ  ｆａｓｔ  ｆｏｕｒｉｅｒ  ｔｒａｎｓｆｏｒｍ；ＩＦＦＴ）ブロックと；
前記フィードバック情報に基づいて前記ＩＦＦＴ変形された各シンボルを伝送するための各アンテナを選択するように構成されるアンテナ選択器と、を含む装置。
【請求項４４】
前記装置内の前記エンコーダー及び前記ＩＦＦＴブロックは相互交換可能であることを特徴とする請求項４３に記載の装置。
【請求項４５】
前記装置は伝送器であることを特徴とする請求項４３に記載の装置。
【発明の詳細な説明】
【技術分野】
【０００１】
本発明は、伝送ダイバーシティ及び空間多重化を達成するための方法及び装置に関するもので、より具体的には、フィードバック情報に基づいてアンテナ選択技法を使用して伝送ダイバーシティ及び空間多重化を達成するための方法及び装置に関するものである。
【背景技術】
【０００２】
多重アンテナを使用して伝送及び受信する方法は、潜在的に大きい容量の増加によってより多くの関心を集めている。チャネル状態情報の利用可能性に基づいて二つの動作モード、すなわち、開ループ及び閉ループ動作を仮定する。
【０００３】
開ループ伝送ダイバーシティでは、チャネル状態情報を仮定しない。チャネル状態情報がないので、開ループ伝送ダイバーシティは頻繁に性能の損失をもたらす。一般的に、開ループ伝送ダイバーシティは簡単な動作である。これと異なり、閉ループ伝送ダイバーシティでは、部分または全体のチャネル状態情報を仮定する。
【０００４】
論議されたように、開ループ伝送ダイバーシティは、その動作が簡単であるが、チャネル状態情報の不在によって性能損失をもたらす。閉ループ伝送ダイバーシティは、チャネル状態情報の品質に大きく依存し、開ループより良好な性能を得ることができる（すなわち、フィードバック情報の遅延及びエラー統計）。
【発明の開示】
【発明が解決しようとする課題】
【０００５】
本発明は、従来の関連技術の制限及び短所による問題を本質的に回避するために、フィードバック情報に基づいてアンテナ選択技法を使用して伝送ダイバーシティ及び空間多重化を達成するための方法及び装置を指向する。
【０００６】
本発明の目的は、無線通信システムで伝送ダイバーシティを達成する方法を提供することにある。
【０００７】
本発明の他の目的は、多重入力、多重出力（Ｍｕｌｔｉ  ｉｎｐｕｔ、ｍｕｌｔｉ  ｏｕｔｐｕｔ；ＭＩＭＯ）システムでデータシンボルを特定のアンテナ及び周波数に割り当てる方法を提供することにある。
【０００８】
本発明の更に他の目的は、無線通信システムで伝送ダイバーシティを達成するための装置を提供することにある。
【０００９】
本発明の付加的な特徴及び長所は、後述する説明を通して展開されるはずで、部分的には上述した説明を通して明白になり、本発明の練習を通して習得されるだろう。
【００１０】
本発明の目的及び他の長所は、この文書に添付された図面のみならず、記述された説明及び特許請求の範囲で具体的に取り扱われた構造によって実現・獲得される。
【課題を解決するための手段】
【００１１】
この文書で具体化されて幅広く説明された本発明の目的及び他の長所を達成するために、無線通信システムで伝送ダイバーシティを達成するための方法は、フィードバック情報に基づいてデータストリームをエンコーディングして変調し、一つ以上のエンコーダーブロックに各シンボルを逆多重化することを含み、その逆多重化された各シンボルを前記一つ以上のエンコーダーブロックによってエンコーディングし、そのエンコーディングされた各シンボルを一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって変形し、そのフィードバックされた情報に基づいて前記各シンボルを伝送するための各アンテナを選択することを含む。
【００１２】
本発明の他の様相において、無線通信システムで伝送ダイバーシティを獲得する方法は、一つ以上のエンコーダーブロックにデータストリームを逆多重化し、フィードバック情報に基づいて前記逆多重化された各データストリームにチャネルコーディング及び変調を行い、前記一つ以上のエンコーダーブロックによって各シンボルをエンコーディングし、一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって前記コーディングされた各シンボルを変形し、前記フィードバック情報に基づいて前記各シンボルを伝送するための各アンテナを選択することを含む。
【００１３】
本発明の更に他の様相において、多重入力、多重出力システムで特定のアンテナ及び周波数に各データシンボルを割り当てる方法は、一つ以上のエンコーダーブロックによって前記一つ以上のデータシンボルをコーディングし、一つ以上の逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックによって前記コーディングされた各シンボルを変形し、フィードバック情報に基づいて前記コーディングされた各シンボルを伝送するための一つ以上のアンテナを一つ以上のアンテナ選択器によって割り当てて、前記フィードバック情報を基づいて前記データシンボルが伝送される一つ以上の搬送波を前記一つ以上のアンテナ選択器によって割り当てることを含む。
【００１４】
本発明の更に他の様相において、無線通信システムで伝送ダイバーシティを獲得するための装置は、フィードバック情報に基づいてデータストリームをそれぞれコーディングして変調するように構成されるチャネルエンコーダー及び変調器と、一つ以上のエンコーダーブロックに各シンボルを逆多重化するように構成される逆多重化器と、前記一つ以上のエンコーダーブロックによって前記逆多重化された各シンボルをコーディングするように構成されるエンコーダーと、前記コーディングされた各シンボルを変形するように構成される逆高速フーリエトランスフォーム（Ｉｎｖｅｒｓｅ  ｆａｓｔ  ｆｏｕｒｉｅｒ  ｔｒａｎｓｆｏｒｍ；ＩＦＦＴ）ブロックと、前記フィードバック情報に基づいて前記ＩＦＦＴ変形された各シンボルを伝送するための各アンテナを選択するように構成されるアンテナ選択器とを含む。
【００１５】
上述した本発明に対する一般的な説明及び後述する詳細な説明は、全て例示的及び説明的なものであり、請求されたように本発明に対する追加的な説明を提供するものである。
【発明を実施するための最良の形態】
【００１６】
以下、添付した図面に示した例題である本発明の好適な実施例に対して詳細に説明する。図面全体における同一の参照番号は、同一の部分または対応する部分を示すために使用される。
【００１７】
本発明は、多重搬送波コード分割多重接続（ｍｕｌｔｉ−ｃａｒｒｉｅｒ  ｃｏｄｅ  ｄｉｖｉｓｉｏｎ  ｍｕｌｔｉｐｌｅ  ａｃｃｅｓｓ；ＭＣ−ＣＤＭＡ）のみならず、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）に適用される。以下では、多重伝送アンテナ構成で多重搬送波動作を効率的に結合することに重点をおいて説明する。具体的に、多重搬送波は多重帯域を含む。例えば、前記帯域は、多数の１．２５ＭＨｚ、５ＭＨｚまたはＯＦＤＭのサブバンドである。また、多重搬送波は、別個の形態または重なった形態で存在しうる。さらに、多重搬送波は、サブセットとして単一の搬送波によって定義される。
【００１８】
また、本発明の構造は、収率及び／またはカバレッジを最大化するために、時間、周波数及び空間領域で効率的に資源を使用するように設計された。さらに、本発明の構造は、受信端からのフィードバック情報の生成と関連した複雑度を減らし、広い範囲の使用者移動性を支援するために設計された。
【００１９】
上述したように、収率における性能損失は、チャネル状態情報の欠乏及び／またはチャネル状態情報の品質への大きな依存の結果として発生しうる。性能損失問題に対して論ずるために、エンコーディング（すなわち、空間−時間コーディング（ｓｐａｃｅ−ｔｉｍｅ  ｃｏｄｉｎｇ；ＳＴＣ）に基づいた連合伝送ダイバーシティ及びチャネル状態情報に基づいたアンテナ選択と関連した構造に対して論議する。また、本論議は、チャネル状態情報に基づいたアンテナ選択のみならず、エンコーディング（すなわち、非直交空間−時間コーディング）に基づいた連合空間多重化のための構造と関連している。
【００２０】
アンテナ選択技法は、即時のチャネル状態が伝送側で利用可能であるか、チャネルがゆっくり変わるとき、最も大きい信号対干渉及び雑音比（ｓｉｇｎａｌ−ｔｏ−ｉｎｔｅｒｆｅｒｅｎｃｅ−ｐｌｕｓ  ｎｏｉｓｅ）を提供する。このように、論議される本発明の構造は、室内でのアプリケーションのように低い移動性の場合に性能をよく発揮する。しかしながら、チャネル状態を伝送側にフィードバックするために必要な時間より相対的に速くチャネルが変わると、性能劣化が明らかになる。
【００２１】
後述する多様な構造に対する論議では多様な仮定がある。例えば、本発明の構造は、ダウンリンク高速パケットデータ（ｄｏｗｎｌｉｎｋ  ｈｉｇｈ  ｓｐｅｅｄ  ｐａｃｋｅｔ  ｄａｔａ；ＨＳＤＰＡ）伝送のために設計され、ＯＦＤＣＭ技法を適用する。また、前記仮定は、任意的な帯域での動作にも適用可能であるにもかかわらず、Ｎ個の１．２５ＭＨｚ帯域を含むことができ、各隣接帯域は相互に重ならないことを仮定する。また、閉ループ動作として解釈されるフィードバックが利用可能であり、１．２５ＭＨｚごとにフィードバックされる。また、伝送アンテナの個数（Ｔ）は、空間−時間コード（ＳＴＣ）エンコーダーの出力より大きいことを仮定する。最後に、受信側には、空間多重化利得または付加的なダイバーシティ利得を提供するために一つ以上のアンテナ要素が備わることを仮定する。
【００２２】
図１は、アンテナ選択技法と結合された伝送ダイバーシティを例示的に示した図である。図１を参照すると、データストリームは、受信側から提供されたフィードバック情報に基づいてエンコーディングされる。より具体的に、フィードバック情報に基づいて、データは、伝送側で適応的変調及びコーディング（Ａｄａｐｔｉｖｅ  ｍｏｄｕｌａｔｉｏｎ  ａｎｄ  ｃｏｄｉｎｇ；ＡＭＣ）技法を使用して処理される。ＡＭＣ技法によって処理されたデータは、チャネルコーディングされてインターリービングされた後、各シンボルに変調される（これは、コーディングまたは変調されたデータストリームともいう）。
【００２３】
その後、各シンボルは、多数のＳＴＣエンコーダーブロックに逆多重化される。ここで、逆多重化は、前記搬送波が支援可能なコード率及び変調に基づいて逆多重化される。それぞれのＳＴＣエンコーダーブロックは、各シンボルをコーディングし、エンコーディングされた各シンボルをＩＦＦＴブロックに出力する。ＩＦＦＴブロックは、そのエンコーディングされた各シンボルを変形する。その後、変形された各シンボルは、受信側に伝送するためにアンテナ選択器によって選択された各アンテナに割り当てられる。伝送のためにどのアンテナを選択するかに関しては、フィードバック情報に基づいて選択することができる。
【００２４】
図２は、アンテナ選択技法と結合された伝送ダイバーシティを例示的に示した他の図である。単一の符号語動作のために設計された図１と異なり、図２では、ＡＭＣが搬送波基準ごとに実行され、多重符号語動作のために設計される。
【００２５】
図１及び図２によって、データは、ＩＦＦＴブロックによって処理される前にＳＴＣエンコーダーによって処理される。しかしながら、ＳＴＣエンコーダーブロックによって処理される前に、データがＩＦＦＴブロックによって処理されることが可能である。すなわち、ＳＴＣエンコーダー及びＩＦＦＴブロックとの間の処理順序が変わり得る。
【００２６】
具体的に、受信側からのフィードバック情報は、データストリームにチャネルコーディング及び変調を行う（またはＡＭＣ技法を行う）ために使用される。このＡＭＣ技法処理は、点線ボックスに示される。チャネルコーディング及び変調に使用されるフィードバック情報は、例えば、データレート制御（ｄａｔａ  ｒａｔｅ  ｃｏｎｔｒｏｌ；ＤＲＣ）またはチャネル品質情報（ｃｈａｎｎｅｌ  ｑｕａｌｉｔｙ  ｉｎｄｉｃａｔｏｒ；ＣＱＩ）である。また、フィードバック情報は、セクター確認、搬送波／周波数インデックス、アンテナインデックス、支援可能なＣＱＩ値、最適のアンテナ組み合わせ、選択された各アンテナ及び与えられた割り当てられた多重搬送波に対する支援可能な信号対干渉雑音比（ｓｉｇｎａｌ−ｔｏ−ｉｎｔｅｒｆｅｒｅｎｃｅ  ｎｏｉｓｅ  ｒａｔｉｏ；ＳＩＮＲ）などの多様な情報を含むことができる。
【００２７】
支援可能なＳＩＮＲのみならず、選択された各アンテナと関連した情報は、受信端から伝送端へのチャネル（すなわち、逆方向リンク）を通して伝送されるか、他のチャネル上に伝送される。このチャネルは、物理チャネルまたは論理チャネルである。また、その選択された各アンテナと関連した情報は、ビットマップの形態で伝送される。各ビットマップの位置は、アンテナインデックスを表している。
【００２８】
例えば、前記ＤＲＣまたはＣＱＩは、伝送アンテナごとに測定される。ＣＱＩの例で、伝送端は、信号が伝送されたチャネルの品質を決定するために受信端に信号（すなわち、パイロット）を伝送することができる。各アンテナは、その受信端がアンテナ要素からチャネル情報を抽出するように受信端に自身のパイロットを伝送する。また、伝送端は、アクセスノード、基地局、ネットワークまたはノードＢともいう。また、受信端は、アクセスターミナル、移動端末、移動局または移動端末局ともいう。伝送端からの信号に応答するにおいて、受信端は、信号が送られたチャネルのチャネル状態またはチャネル条件を提供するために伝送端にＣＱＩを伝送することができる。
【００２９】
また、フィードバック情報（すなわち、ＤＲＣまたはＣＱＩ）は、先検出（ｐｒｅ−ｄｅｔｅｃｔｉｏｎ）技法または後検出（ｐｏｓｔ−ｄｅｔｅｃｔｉｏｎ）技法を使用して測定される。先検出技法は、時分割多重化（ｔｉｍｅ  ｄｉｖｉｓｉｏｎ  ｍｕｌｔｉｐｌｅｘｉｎｇ；ＴＤＭ）を使用するＯＦＤＭブロックの前に、アンテナに特有の既知のパイロットシーケンスを挿入することを含む。後検出技法は、ＯＦＤＭ伝送でアンテナに特有の既知のパイロットパターンを使用することを含む。
【００３０】
また、フィードバック情報は、各帯域幅上に置かれるか、ＯＦＤＭ帯域幅のＮ個の１．２５ＭＨｚ、５ＭＨｚまたはサブバンド上にチャネル状態情報を含むことができる。
【００３１】
論議されたように、ＡＭＣ技法を使用して処理された各シンボルは、多重のＳＴＣエンコーダーブロックに逆多重化される。ＳＴＣエンコーダーブロックは、多様なコーディング技術を具現することができる。例えば、エンコーダーブロックはＳＴＣエンコーダーである。各ＳＴＣエンコーダーはＭＨｚの基本単位を有することができる。事実上、図１において、ＳＴＣエンコーダーは１．２５ＭＨｚをカバーする。他のタイプのコーディング技術は、空間−時間ブロックコード（ｓｐａｃｅ−ｔｉｍｅ  ｂｌｏｃｋ  ｃｏｄｅ；ＳＴＢＣ）、非直交ＳＴＢＣ、空間−時間トレリスコーディング（ｓｐａｃｅ−ｔｉｍｅ  Ｔｒｅｌｌｉｓ  ｃｏｄｉｎｇ；ＳＴＴＣ）、空間−周波数ブロックコード（ｓｐａｃｅ−ｆｒｅｑｕｅｎｃｙ  ｂｌｏｃｋ  ｃｏｄｅ；ＳＦＢＣ）、空間−時間周波数ブロックコード（ｓｐａｃｅ−ｔｉｍｅ  ｆｒｅｑｕｅｎｃｙ  ｂｌｏｃｋ  ｃｏｄｅ；ＳＴＦＢＣ）、サイクリックシフトダイバーシティ、サイクリック遅延ダイバーシティ（ｃｙｃｌｉｃ  ｄｅｌａｙ  ｄｉｖｅｒｓｉｔｙ；ＣＤＤ）、アラモチ（Ａｌａｍｏｕｔｉ）及びプリコーディングを含む。
【００３２】
論議されたように、ＩＦＦＴ変形された各シンボルは、フィードバック情報に基づいたアンテナ選択器によって特定のアンテナに割り当てられる。すなわち、図１において、アンテナ選択器は、フィードバック情報内で特定されたＳＴＣエンコーダーからの二つの出力に該当するアンテナ対を選択する。
【００３３】
アンテナ選択器は、特定のシンボルを伝送するためのアンテナを選択する。これと同時に、アンテナ選択器は、シンボルが伝送される搬送波（または周波数帯域幅）を選択することができる。周波数選択のみならず、アンテナ選択も、動作の各帯域幅ごとに提供されるフィードバック情報に基づいている。また、アンテナ及び周波数が割り当てられる無線システムは、多重入力、多重出力（Ｍｕｌｔｉ  ｉｎｐｕｔ、ｍｕｌｔｉ  ｏｕｔｐｕｔ；ＭＩＭＯ）システムである。
【００３４】
図３は、アンテナ選択及び周波数割り当てを示した例示図である。図３を参照すると、４個の周波数帯域幅または搬送波及び３個のアンテナがある。ここで、アラモチエンコーダーブロック＃０を通して処理された各シンボルは、アンテナ選択器によって各アンテナに割り当てられる。ブロック＃０からの各シンボルは、二つのアンテナ選択器のうち最初のものから周波数０（ｆ０）上の最初のアンテナに割り当てられる。これと同時に、ブロック＃０の他のシンボルは、他のアンテナ選択器から周波数０（ｆ０）上の三番目のアンテナに割り当てられる。また、ブロック＃３からの各シンボルは、二つのアンテナ選択器のうち最初のものから周波数３（ｆ３）上の二番目のアンテナに割り当てられる。これと同時に、ブロック＃３の他のシンボルは、他のアンテナシンボルからの周波数３（ｆ３）上の三番目のアンテナに割り当てられる。周波数割り当ては、少なくとも二つの連続的なＯＦＤＭシンボル間隔の間に維持される。
【００３５】
これと同様に、図４は、アンテナ選択及び周波数割り当てを示した他の例示図である。図３及び図４において、各ブロックからのデータシンボルは、ダイバーシティゲインを得るために他のアンテナを使用する。
【００３６】
アンテナ選択器による実行または選択ダイバーシティ達成に関して、スケジューラが使用される。利用可能な多様なスケジューラのタイプがあり、そのうち比例的なフェアー（ｐｒｏｐｏｒｔｉｏｎａｌ  ｆａｉｒ；ＰＦ）スケジューラがある。ＰＦスケジューラは、使用者たちの現在の伝送率と過去の平均収率との比を比較し、最も高い比率を有する使用者を選択することで、使用者（または接続端末）を選択する。ＰＦスケジューラは、収率と使用者公平性との間の良い妥協と見なされる。
【００３７】
ＰＦスケジューラは、多くの可能なスケジューリングアルゴリズムによって実行される。例えば、前記各アルゴリズムは、各搬送波に対する使用者たちの連合分配及び各搬送波と各アンテナに対する個別的な分配と関連している。
【００３８】
スケジューリングアルゴリズムの一例として、使用者たちはＰＦ値に基づいて分類され、使用者は、最も大きいＰＦ値を有する使用者に基づいて選択される。また、フィードバック情報を通して提供される搬送波（または周波数）及びアンテナ組み合わせは、例えば、ＣＱＩ値に基づいて分類される。その後、最も良いＣＱＩ値を提供する搬送波及びアンテナ組み合わせが割り当てられる。選択された使用者のＰＦ値を含む使用者たちのＰＦ値は再計算される。
【００３９】
前記再計算に基づいて、その選択された使用者のＰＦ値が依然として残りの使用者たちのＰＦ値より大きい場合、その後、搬送波及びアンテナ組み合わせが維持及び割り当てられる。一方、そうでない場合、最も大きいＰＦ値を有する使用者が選択または割り当てられる。より具体的に、最適のＣＱＩが以前に割り当てられた同一の搬送波から来ると、使用者が選択され、次のＣＱＩ値を与える他の搬送波及びアンテナ組み合わせに使用者が割り当てられる。これと異なり、最適のＣＱＩが以前に割り当てられた同一の搬送波から来ないと、使用者が選択され、最適のＣＱＩ値を与える搬送波及びアンテナ組み合わせに使用者が割り当てられる。この例題のスケジューリングアルゴリズムは、全ての使用者がスキャンされ／スキャンされるか、全ての可能な搬送波及びアンテナ組み合わせが割り当てられるまで反復的に実行される。スケジューリングアルゴリズムに関する他の例題にしたがって、使用者たちはＰＦ値に基づいて分類され、使用者は、最も大きいＰＦ値を有する使用者に基づいて選択される。その後、搬送波及びアンテナ組み合わせは、ＣＱＩ値が事前に決定された閾値より小さくない場合、その選択された使用者に割り当てられる。事前に決定された閾値より小さいＣＱＩ値を有する特定の搬送波及びアンテナ組み合わせのために、ＣＱＩがその搬送波に対する事前に決定された閾値より大きいか同じ残りの使用者たちのうち、最も大きいＰＦ値を有する使用者が選択される。二番目の例題のスケジューリングアルゴリズムは、全ての使用者がスキャンされ／スキャンされるか、全ての可能な搬送波及びアンテナ組み合わせが割り当てられるまで反復的に実行される。
【００４０】
スケジューリングアルゴリズムに関する他の例題によって、使用者たちは各搬送波上に分配される。より具体的に、ｊ＝０からＮ−１まで（Ｎは、例えば、１．２５ＭＨｚ搬送波の個数）及びｉ＝０からＴ−１まで（Ｔは、アンテナ要素の個数）、フィードバックが（ｊ，ｉ）でのサービスを指示するように（ｊ，ｉ）で最も大きいＰＦ値を有する使用者インデックス（ｊ，ｉ）が割り当てられる。これと異なり、ｊ＝０からＭ−１まで、
【００４１】
【数１】
2009529810.tif 000003
になるように使用者及びアンテナ対（ｕ（ｊ），ｔ）が割り当てられる。ここで、各搬送波及び使用者のためのＰＦ値が必要である。
【００４２】
伝送ダイバーシティ利得を得るために、伝送アンテナ（Ｔ）の個数はＳＴＣエンコーダー出力の個数（Ｍ）と同一である。すなわち、Ｍ＝Ｔである。受信端からのフィードバック情報は、セクター識別、搬送波インデックス及び測定されたチャネル情報（すなわち、平均ＳＩＮＲまたは瞬間ＳＩＮＲ）を含むことができる。フィードバック情報を使用してアンテナ及び周波数選択がなされるように、チャネルコーディング及び変調が行われる。例えば、フィードバック情報が（２，（０，２０，５ｄＢ）のように指示されると、その指示は、使用者２及び搬送波０上のフィードバック情報及び平均５ｄＢ  ＳＩＮＲを与える０と２にインデックスされた各アンテナからの受信を表している。前記情報を使用して、ダウンリンク伝送は、選択された使用者のための媒体接続制御（ｍｅｄｉｕｍ  ａｃｃｅｓｓ  ｃｏｎｔｒｏｌ；ＭＡＣ）インデックス、搬送波インデックス及びＡＭＣインデックスに関する情報を含むことができる。例えば、（２，（０，２），５）は、ＡＭＣインデックス５、符号率１／２及びＱＰＳＫを表している。この伝送にはインデックス０及び２のアンテナが含まれる。
【００４３】
伝送ダイバーシティと関連したスケジューリングアルゴリズムの一例に関して、使用者たちはＰＦ値に基づいて分類され、使用者は、最も大きいＰＦ値を有する使用者に基づいて選択される。また、フィードバック情報を通して提供される搬送波（または周波数）は、例えば、平均ＳＮＲに基づいて分類される。その後、最適のＳＮＲ値を提供する搬送波が割り当てられる。選択された使用者のＰＦ値を含む使用者たちのＰＦ値は再計算される。
【００４４】
前記再計算に基づいて、選択された使用者のＰＦ値が依然として残りの使用者たちのＰＦ値達より大きい場合、搬送波は維持及び割り当てられる。一方、そうでない場合、最も大きいＰＦ値を有する使用者が選択及び割り当てられる。より具体的に、最適の平均ＳＮＲが以前に割り当てられた同一の搬送波から来ると、使用者が選択され、次のＳＮＲ値を与える他の搬送波アンテナ組み合わせに使用者が割り当てられる。これと異なり、最適の平均ＳＮＲが以前に割り当てられた同一の搬送波から来ないと、使用者が選択され、最適の平均ＳＮＲ値を与える搬送波及びアンテナ組み合わせに使用者が割り当てられる。この例題のスケジューリングアルゴリズムは、全ての使用者がスキャンされ／スキャンされるか、全ての可能な搬送波及びアンテナ組み合わせが割り当てられるまで反復される。
【００４５】
伝送ダイバーシティと関連したスケジューリングアルゴリズムに関する他の例題によって、使用者たちはＰＦ値に基づいて分類され、使用者は、最も大きいＰＦ値を有する使用者に基づいて選択される。その後、平均ＳＮＲ値が事前に決定された閾値より小さくない場合、搬送波及びアンテナ組み合わせがその選択された使用者に割り当てられる。事前に決定された閾値より小さい平均ＳＮＲ値を有する特定の搬送波及びアンテナ組み合わせでは、平均ＳＮＲがその搬送波に対する事前に決定された閾値より大きいか同じ残りの使用者たちのうち、最も大きいＰＦ値を有する使用者が選択される。二番目の例題のスケジューリングアルゴリズムは、全ての使用者がスキャンされ／スキャンされるか、全ての可能な搬送波及びアンテナ組み合わせが選択されるまで反復的に実行される。
【００４６】
伝送ダイバーシティと関連したスケジューリングアルゴリズムに関する他の例題によって、使用者たちは各搬送波上に分配される。より具体的に、ｊ＝０からＮ−１まで（Ｎは、１．２５ＭＨｚ搬送波の個数）、フィードバックが搬送波ｊでのサービスを指示するｊ番目の搬送波でのＰＦ値の最も大きい値の使用者インデックスｕ（ｊ）が割り当てられる。ここで、各搬送波及び各使用者に対するＰＦ値が必要である。
【００４７】
これと異なり、伝送アンテナ（Ｔ）の個数はＳＴＣエンコーダー出力の個数（Ｍ）より大きいこともある（すなわち、Ｍ＜Ｔ）。これは、アンテナ選択に伝送ダイバーシティを合せたものと見なされる。これを具現するにおいて、フィードバック情報は、セクター識別（パイロットパターンに代替可能）、搬送波インデックス、アンテナインデックス及び達成可能な平均ＳＮＲを含むことができる。ここで、使用者識別は、含蓄的なものとして考慮される。例えば、（２，０，（０，２），５ｄＢ）は、セクター２及び搬送波０の使用者を指示し、アンテナ０及び２からの受信が平均ＳＮＲ  ５ｄＢに最適化されることを指示する。
【００４８】
選択された各アンテナ及び対応するチャネル品質情報（ＣＱＩ）またはデータレート制御（ＤＲＣ）情報は、同一または異なるチャネルを使用して伝送される。一つのチャネルは、選択された各アンテナ上に、例えば、ビットマップを使用して情報を伝送することができ、他のチャネルは、その対応するＣＱＩまたはＤＲＣ情報を伝送することができる。また、上述したように、その選択された各アンテナに関する情報はビットマップ形態で伝送され、各ビットマップの位置はアンテナインデックスを表すことができる。ビットマップでの各位置は、その対応する物理的及び効果的なアンテナを表している。例えば、４ビットのビットマップは、４個の物理的または効果的なアンテナを表し、（０１０１）は、二番目及び四番目の物理的または効果的なアンテナが選択されたことを指示する。接続網に対するアップリンク（逆方向）制御情報のフィールドは、前記接続端末によって選択されたＳＴＣ及びアンテナ選択に関するフィールドとして位置または使用される。
【００４９】
まず、伝送アンテナ組み合わせ当たり平均的なＳＮＲまたは瞬間のＳＮＲが測定される必要がある。この測定は、順方向共通パイロットチャネル（ｆｏｒｗａｒｄ  ｃｏｍｍｏｎ  ｐｉｌｏｔ  ｃｈａｎｎｅｌ；Ｆ−ＣＰＩＣＨ）または専用パイロットチャネル（ｄｅｄｉｃａｔｅｄ  ｐｉｌｏｔ  ｃｈａｎｎｅｌ；Ｆ−ＤＰＩＣＨ）に基づいている。この測定されたＳＮＲは、先検出方法及び／または後検出方法を使用して測定される。先検出方法は、ＯＦＤＭブロック（ＴＤＭ）の前に、アンテナに特有の既知のパイロットシーケンスを挿入することを含み、後検出方法は、ＯＦＤＭブロックにアンテナに特有のパイロットパターンを使用することを含む。
【００５０】
ダウンリンク伝送で、選択された使用者たちに関するＭＡＣインデックス、搬送波インデックス、アンテナインデックス及びＡＭＣインデックスに関する情報が含まれる。例えば、前記情報が（２，０，（０，２），５）に表されると、その情報は、符号率１／２及びＱＰＳＫを有するＡＭＣインデックス５を表している。接続端末のためのダウンリンク（順方向）制御情報のフィールドは、ＳＴＣ及びアンテナ選択技法のためのフィールドとして位置及び使用される。また、このフィールドは、共通パイロットチャネル及び／または共用パイロットチャネルに基づいた動作のために使用される。
【００５１】
ダウンリンク伝送に関して、制御シグナリングは、現在の伝送がアンテナ選択技法のみならず、使用された伝送技法に関する情報を含むことを前記受信端に提供するために使用される。例えば、前記情報は、空間時間伝送ダイバーシーティ（ＳＴＴＤ）及びアンテナ選択技法が使用されていることを含む。また、前記情報は、変調及びコーディングと関連した情報を含むことができる。
【００５２】
伝送ダイバーシティと関連したスケジューリングアルゴリズムの一例として、使用者たちはＰＦ値に基づいて分類され、使用者は、最も大きいＰＦ値を有する使用者に基づいて選択される。また、前記フィードバック情報を通して提供される前記搬送波（または周波数）及びアンテナインデックス組み合わせは、例えば、平均ＳＮＲ値に基づいて分類される。その後、最適の平均ＳＮＲ値を提供する搬送波及びアンテナ組み合わせが割り当てられる。選択された使用者のＰＦ値を含み、使用者たちのＰＦ値が再計算される。
【００５３】
再計算に基づいて、その選択された使用者のＰＦ値が残りの使用者たちのＰＦ値より依然として小さい場合、次の平均ＳＮＲ値を与える搬送波及びアンテナ組み合わせが割り当てられる。一方、そうでない場合、最も大きいＰＦ値を有する使用者が選択及び割り当てられる。より具体的に、最適の平均ＳＮＲが以前に割り当てられた同一の搬送波から来ると、前記使用者が選択され、次の平均ＳＮＲを与える他の搬送波及びアンテナ組み合わせに前記使用者が割り当てられる。これと異なり、最適の平均ＳＮＲが以前に割り当てられた同一の搬送波から来ないと、前記使用者が選択され、最適の平均ＳＮＲ値を与える搬送波及びアンテナ組み合わせに前記使用者が割り当てられる。この例題の前記スケジューリングアルゴリズムは、全ての使用者がスキャンされ／スキャンされるか、全ての可能な搬送波及びアンテナ組み合わせが割り当てられるまで反復的に実行される。
【００５４】
伝送ダイバーシティと関連したスケジューリングアルゴリズムに関する他の例によって、使用者たちはＰＦ値に基づいて選択され、使用者は、最も大きいＰＦ値を有する使用者に基づいて選択される。その後、その測定されたＳＮＲ値が事前に決定された閾値より小さくない場合、搬送波及びアンテナ組み合わせがその選択された使用者に割り当てられる。その事前に決定された閾値より小さい測定されたＳＮＲ値を有する特定の搬送波及びアンテナ組み合わせにおいて、ＳＮＲがその搬送波に対する事前に決定された閾値より大きいか同じ残りの使用者のうち、最も大きいＰＦ値を有する使用者が選択される。二番目の例のスケジューリングアルゴリズムは、全ての使用者がスキャンされ／スキャンされるか、全ての可能な搬送波及びアンテナ組み合わせが割り当てられるまで反復的に実行される。
【００５５】
スケジューリングアルゴリズムに関する更に他の例題によって、使用者たちは各搬送波上に分配される。より具体的に、ｊ＝０からＭ−１まで（Ｍは、例えば、１．２５ＭＨｚ搬送波の個数）及びｉ＝０からＴ−１まで（Ｔは、アンテナ要素の個数）、フィードバックが（ｊ，ｉ）でのサービスを指示するように（ｊ，ｉ）で最も大きいＰＦ値を有する使用者インデックスｕ（ｊ，ｉ）が割り当てられる。これと異なり、ｊ＝０からＭ−１まで、
【００５６】
【数２】
2009529810.tif 000004
になるように使用者及びアンテナ対（ｕ（ｊ），ｔ）が割り当てられる。ここで、各搬送波及び使用者のためのＰＦ値が必要である。
【００５７】
図５は、アンテナ選択技法の空間多重化伝送を示した例示図である。空間−時間エンコーダーを使用する代わりに、図１及び図２に示すように、図５では、非直交空間−時間コード（ｎｏｎ−ｏｒｔｈｏｇｏｎａｌ  ｓｐａｃｅ−ｔｉｍｅ  ｃｏｄｅ；ＮＯ−ＳＴＣ）エンコーダーがレート１伝送レート以上を与えるために使用される。ＮＯ−ＳＴＣエンコーダーを使用することを除けば、他の処理技法は図１に示したものと同一である。すなわち、前記データストリームは、フィードバック情報（すなわち、ＤＲＣまたはＣＱＩ）に基づいてチャネルコードされて変調され、アンテナ選択／周波数選択は、そのフィードバック情報に基づいている。また、受信側には、その多重化された各ストリームを適切に抽出または分離するために一つ以上のアンテナ要素が備わる。
【００５８】
図６は、アンテナ選択技法の空間多重化伝送を示した他の例示図である。図６の構造は、ＡＭＣが搬送波単位で行われるという点で図２の構造と類似している。すなわち、図６は、ＭＣＷに関するものである。
【００５９】
図７は、アンテナ選択技法と結合された伝送ダイバーシティを示した例示図である。図７の構造は、各エンコーダーブロック及びＩＦＦＴブロックの位置が変わった点を除けば、単一の符号語（ｓｉｎｇｌｅ  ｃｏｄｅｗｏｒｄ；ＳＣＷ）動作のために設計された点で図１の構造と類似している。図７において、ＩＦＦＴ変形は、各エンコーダーブロックによってエンコーディングされる前に発生する。
【００６０】
図８は、アンテナ選択技法と結合された伝送ダイバーシティを示した他の例示図である。図８の構造は、各エンコーダーブロック及びＩＦＦＴブロックの位置が変わった点を除けば、多重符号語（ｍｕｌｔｉｐｌｅ  ｃｏｄｅｗｏｒｄ；ＭＣＷ）動作のために設計された点で図２の構造と類似している。図８において、ＩＦＦＴ変形は、各エンコーダーブロックによってエンコーディングされる前に発生する。
【００６１】
図７及び図８に示した各構造は、空間多重化を支援するために使用される。より具体的に、ＳＴＣブロックは、例えば、非直交ＳＴＣブロック（すなわち、ＮＯ−ＳＴＢＣ）に代替または代用される。
【００６２】
伝送ダイバーシティ及びアンテナ選択技法の空間多重化を統合方式で結合することで、停止から低速度の使用者にはアンテナ選択利得を提供し、中速から高速の使用者にはダイバーシティ利得を提供することができる。
【００６３】
連合アンテナ選択技法が結合された伝送ダイビシティーに関して、アンテナ選択は、フィードバック情報に基づいており、伝送ダイバーシティは、選択された各アンテナ要素のサブセット上に適用される。また、受信されたＳＩＮＲに関して、アンテナ選択は低速の場合に主要な利得の源泉であり、伝送ダイバーシティは相対的に高速の場合に利得を提供する。
【００６４】
連合アンテナ選択と一緒に行う空間多重化に関して、伝送データレートを増加させるために、アンテナ選択はフィードバック情報に基づいており、空間多重化は、選択された各アンテナ要素のサブセット上で適用される。また、ＮＯ−ＳＴＢＣは、例えば、その簡単な具現性によって可能な選択方案である。受信端には、一つ以上のアンテナ要素を備えることが要求される。
【００６５】
本発明の各実施例は、多重セル（または各セクター）に適用される。すなわち、本発明は、ソフトハンドオフ／ハンドオーバー状況に適用される。ソフトハンドオーバー／ハンドオフに関して、セル／セクターのエッジまたは境界にある使用者たちに強化された性能を提供するために、各セル（または各セクター）はグループ化される。すなわち、グループ内の各セル（または各セクター）は、無線上（ｏｖｅｒ−ｔｈｅ−ａｉｒ;ＯＴＡ）ソフト結合利得を提供するために同一の信号を伝送することができる。この動作は、多重のアンテナを有することで支援される。より具体的に、サイクリックシフトダイバーシティまたはサイクリック遅延ダイバーシティ伝送技法は、受信端からの通知なしにＯＴＡ結合利得を提供するために使用される。
【００６６】
サイクリックシフトまたは遅延ダイバーシティの一例として、フィードバック情報は、アンテナ結合及びＡＭＣ目的のために使用される支援可能なＳＩＮＲのみならず、最適の遅延値を含むことができる。ここで、最適の遅延値フィードバックの周期性は、接続端末（ＡＴ）単位で設定される。最適の遅延値は、選択された二番目のアンテナに適用される。二番目のアンテナは、より大きいアンテナインデックスを有するアンテナ要素である。また、プリコーディングが仮定されると、アンテナセクターは、ビームフォーマーとアンテナ選択器が結合されたものとして行動することができる。
【００６７】
図９は、セルエッジ領域の使用者たちに強化された性能を提供するための動作を示した例示図である。ここで、各セルまたはセクターは、多重アンテナ、サイクリックダイバーシティ（シフトまたは遅延）及びＳＣＷを含む。図示したように、各セルまたはセクターのアンテナはグループ化される。図９において、存在するパイロットは、同一の信号を伝送するのに含まれた各セル（各セクター）の選択に使用される。図面において、ＩＦＦＴブロックは、各エンコーダーに対応するように一つ以上のＩＦＦＴブロックを含むことができる。
【００６８】
さらに、ＩＦＦＴブロックは、直列−並列転換、ＩＦＦＴ、並列−直列変換、サイクリックプリフィックス挿入、デジタル／アナログ及び低域通過フィルター及び利得（またはアップコンバージョン）によって説明される。ここで、利得は、アンテナ要素の個数、利用可能な電力及びフィードバックメカニズムに依存する。
【００６９】
図１０は、セルエッジ領域の使用者たちに強化された性能を提供するための動作を示した他の例示図である。図１０において、新しいパイロットは、同一の信号を伝送するために含まれた各セル（または各セクター）の選択に使用される。図９及び図１０において、ソフトハンドオフ伝送に含まれた各セルまたは各セクターは、接続端末または接続網によって決定される。
【００７０】
図１１は、一つの伝送アンテナを備えた各セルまたは各セクターのグループに新しいパイロットを用いるソフトハンドオフ支援の伝送ダイバーシティを示した例示図である。図１０に基づいて説明したように、同一の接近は、図１２に示したソフトハンドオフ伝送のＭＣＷを支援するために使用される。
【００７１】
図１２は、ＭＣＷ動作のためのソフトハンドオフ伝送ダイバーシティを示した例示図である。より具体的に、図１２は、ソフトハンドオフ伝送支援のＭＣＷ伝送のための構造を示している。ここで、セルまたはセクターは、多重伝送アンテナを備えており、Ｎ個の階層（または搬送波）がある。また、各セルまたは各セクターがソフトハンドオフ伝送のために単一のアンテナ伝送を支援することが可能である。
【００７２】
図９乃至図１２において、エンコーダーブロックは、サイクリックダイバーシーティ（シフトまたは遅延）技法を使用するものとして指示される。しかしながら、上述したように、エンコーダーブロックは、空間−時間ブロックコード（Ｓｐａｃｅ−ｔｉｍｅ  ｂｌｏｃｋ  ｃｏｄｅ;ＳＴＢＣ）、非直交ＳＴＢＣ（ｎｏｎ−ｏｒｔｈｏｇｏｎａｌ  ＳＴＢＣ）、空間時間トレリスコーディング（ｓｐａｃｅ−ｔｉｍｅ  ｔｒｅｌｌｉｓ  ｃｏｄｉｎｇ；ＳＴＴＣ）、空間−周波数ブロックコード（ｓｐａｃｅ−ｆｒｅｑｕｅｎｃｙ  ｂｌｏｃｋ  ｃｏｄｅ；ＳＦＢＣ）、空間−時間周波数ブロックコード（ｓｐａｃｅ−ｔｉｍｅ  ｆｒｅｑｕｅｎｃｙ  ｂｌｏｃｋ  ｃｏｄｅ；ＳＴＦＢＣ）、アラモチ及びプリコーディングなどの他の技法を使用することができる。
【００７３】
図１３は、フィードバック情報に基づいてアンテナ選択技法を用いた伝送ダイバーシティ及び空間多重化を達成するための装置の例示図である。図１３を参照すると、データストリームは、伝送器１３０での受信端から提供されたフィードバック情報に基づいてエンコーディングされる。より具体的に、データは、フィードバック情報に基づいて適応変調及びコーディング（ＡＭＣ）技法を使用して処理される。ＡＭＣ技法によって処理されたデータは、チャネルエンコーダー１３１によってチャネルコーディングされ、ビットインターリーバー１３２によってインターリーバーされた後、変調器１３３によって各シンボルに変調される。
【００７４】
その後、各シンボルは、逆多重化器１３４によって多数のエンコーダーブロックに逆多重化される。ここで、逆多重化器は、その搬送波が支援可能な符号率及び変調方式に基づいている。各エンコーダーブロック１３５は、各シンボルをエンコーディングし、そのエンコーディングされた各シンボルをＩＦＦＴブロック１３６に出力する。ＩＦＦＴブロック１３６は、ＳＴＣエンコーディングされた各シンボルを変形する。その後、変形された各シンボルは、受信端への伝送のためにアンテナ選択器１３７によって選択された各アンテナ１３８に割り当てられる。どのアンテナが伝送のために使用されるかに関する選択は、フィードバック情報に基づいている。
【００７５】
論議されたように、エンコーダー１３５及びＩＦＦＴ１３６の位置は相互交換が可能である。また、エンコーダーブロック１３５は、ＳＴＢＣ、ＮＯ−ＳＴＢＣ、ＳＴＴＣ、ＳＦＢＣ、ＳＴＦＢＣ、サイクリックシフト／遅延ダイバーシティ、アラモチ及びプリコーディングなどのコーディング技法を使用することができる。
【産業上の利用可能性】
【００７６】
本技術分野に熟練した者が、本発明の本質や範囲を逸脱せずに本発明を多様に修正・変動可能であることは明白である。したがって、本発明は、添付された特許請求の範囲及びそれに対する均等範囲と符合する限り、上記の修正及び変動を含む。
【図面の簡単な説明】
【００７７】
【図１】アンテナ選択技法と結合された伝送ダイバーシティを例示的に示した図である。
【図２】アンテナ選択技法と結合された伝送ダイバーシティを例示的に示した他の図である。
【図３】アンテナ選択及び周波数割り当てを示した例示図である。
【図４】アンテナ選択及び周波数割り当てを示した他の例示図である。
【図５】アンテナ選択技法の空間多重化伝送を示した例示図である。
【図６】アンテナ選択技法の空間多重化伝送を示した他の例示図である。
【図７】アンテナ選択技法と結合された伝送ダイバーシティを示した例示図である。
【図８】アンテナ選択技法と結合された伝送ダイバーシティを示した他の例示図である。
【図９】セルエッジ領域の使用者たちに強化された性能を提供するための動作を示した例示図である。
【図１０】セルエッジ領域の使用者たちに強化された性能を提供するための動作を示した他の例示図である。
【図１１】一つの伝送アンテナを備えた各セルまたは各セクターのグループに新しいパイロットを用いるソフトハンドオフ支援の伝送ダイバーシティを示した例示図である。
【図１２】ＭＣＷ動作のためのソフトハンドオフ伝送ダイバーシティを示した例示図である。
【図１３】フィードバック情報に基づいてアンテナ選択技法を用いた伝送ダイバーシティ及び空間多重化を達成するための装置の例示図である。
【図１】
2009529810.tif 000005
【図２】
2009529810.tif 000006
【図３】
2009529810.tif 000007
【図４】
2009529810.tif 000008
【図５】
2009529810.tif 000009
【図６】
2009529810.tif 000010
【図７】
2009529810.tif 000011
【図８】
2009529810.tif 000012
【図９】
2009529810.tif 000013
【図１０】
2009529810.tif 000014
【図１１】
2009529810.tif 000015
【図１２】
2009529810.tif 000016
【図１３】
2009529810.tif 000017